(57)【要約】【課題】  施錠、解錠操作が可能な指掛け用の凹部を有する引き戸用の取手装置であって、指掛け用の凹部内に施錠、解錠用の操作部を有するものでありながら、指先掛けを阻害することのない取手装置を提供すること。【解決手段】  扉の内面側に装着する内側フレームと扉の外面側に装着する外側フレームを有し、内側フレームは扉に設けた穴の外周囲に接するフランジ部と、当該フランジ部の内側に設けた長溝状の指掛け凹部と、当該指掛け凹部の長手方向の上端部において出没する操作ボタンおよび当該指掛け凹部の下端部において出没する操作ボタンと、当該指掛け凹部の上下に設けた操作ボタンを連結するとともに、扉の施錠および解錠機構を有した鈎ユニットを駆動する突出体を設けた連動部材を有し、前記外側フレームは、扉に設けた穴の外周囲に接するフランジ部と、当該フランジ部の内側に設けた長溝状の指掛け凹部を有していることを特徴とする。【選択図】図１
2014224370.tif 000002
【特許請求の範囲】
【請求項１】
扉の内面側に装着する内側フレームと扉の外面側に装着する外側フレームを有し、
前記内側フレームは、
扉に設けた穴の外周囲に接するフランジ部と、
当該フランジ部の内側に設けた長溝状の指掛け凹部と、
当該指掛け凹部の長手方向の上端部において出没する操作ボタンおよび当該指掛け凹部の下端部において出没する操作ボタンと、
当該指掛け凹部の上下に設けた操作ボタンを連結するとともに、扉の施錠および解錠機構を有した鈎ユニットを駆動する突出体を設けた連動部材を有し、
前記外側フレームは、
扉に設けた穴の外周囲に接するフランジ部と、
当該フランジ部の内側に設けた長溝状の指掛け凹部を有していることを特徴とする引き戸用の取手装置
【請求項２】
前記連動部材を平板状に形成するとともに、前記指掛け凹部の背面に沿って往復移動可能に配置したことを特徴とする請求項１記載の取手装置。
【請求項３】
前記外側フレームが有する指掛け凹部の内面に表裏貫通する小孔を設けるとともに、当該指掛け凹部の背面において往復移動可能な略板状の作動体を設け、
前記小孔を介して前記作動体の位置を視認できるように形成したことを特徴とするを特徴とする請求項１記載の取手装置。
【請求項４】
前記前記内側フレームと外側フレームにはそれぞれ対向して互いに係合する結合手段を設けており、
当該内側フレームと外側フレームを、扉の肉厚に応じて任意の距離で結合するように形成したことを特徴とする請求項１乃至３の何れか一項記載の取手装置。
【請求項５】
前記結合手段の一方には摩擦力を高める凹凸部を設けた板状の突出部材を設けるとともに、
前記結合手段の他方には前記突出部材を収容可能な受容部を設けたことを特徴とする請求項１乃至４の何れか一項記載の取手装置。
【発明の詳細な説明】
【技術分野】
【０００１】
本発明は、引き戸用の指掛け部を有する施錠および解錠が可能な引き戸用の取手装置に関するものである。
【背景技術】
【０００２】
従来、特許文献１記載の引戸用施錠装置が知られている。当該引戸錠装置は、扉の表裏面に手掛け凹部を有した「引き手」を扉を挟むように装着し、ネジによって両者を結合したものである。当該引戸錠装置は、扉の施錠および解錠を行う錠片を有した錠箱を駆動させる操作手段を有しており、手掛け凹部の中に設けたレバー状の施錠片を上下に移動させることによって前記錠片を駆動し、扉の施錠および解錠を行うようになっている。
また、当該引戸用施錠装置は、前記錠箱に対する駆動機構を手掛け凹部の上方に設けているため、扉を開け閉めする手掛け凹部の形成に要する領域の他に、駆動機構部分を埋設するための領域を扉に設けなければならないものである。そして、この手掛け凹部の上方に設けた駆動機構部分に、施錠および解錠を視認させる表示部を設けている。
さらに、手掛け凹部の中に設けたレバー状の一つの施錠片によって錠箱を駆動するものであり、引き下げおよび押し下げを行わせる必要があることから施錠片の上下に指を掛ける空間が必要となる。この結果、施錠片が手掛け凹部内を分断するように配置されることになり、手掛け凹部内の空間に施錠片が突出したようになっているので手掛け凹部に対する指先の挿入を阻害し指を掛けにくくなっている。
【０００３】
また、特許文献２記載の浴室用の錠装置が知られている。当該錠装置は、長孔状の開口部を有する室内用の引き手と室外用の引き手をドアの表裏に設けたものであり、手掛け凹部となる長孔状の開口内に施錠および解錠用の操作体を設けたものである。当該錠装置は、施錠および解錠に伴って戸枠側と係合する錠片を前記引き手と一体的に構成したものであるが、室内用の引き手と室外用の引き手の間に錠片の駆動機構を設けたものとなっている。さらに、当該錠装置は、前記特許文献１と同様に指掛けを構成する長孔状の開口部の中に、当該開口部を上下に分断するような形で押し上げおよび押下を行う操作体を設けたものである。
【先行技術文献】
【特許文献】
【０００４】
【特許文献１】特開２０００−８６７１号公報
【特許文献１】特開２０１２−２２５０９９号公報
【発明の概要】
【発明が解決しようとする課題】
【０００５】
上記特許文献１および特許文献２記載の引き戸用の錠装置は、いずれも扉の開閉を操作するための手掛け凹部（開口）を有するものであって、手掛け凹部内の空間を上下に分断するような形で、施錠および解錠用のレバー（施錠片、操作体）を設けている。したがって、扉の開閉を行う際に手掛け凹部に指を掛けると指先が前記施錠および解錠用のレバーに当たることもあり、当該レバーを避けるように注意しながら指を掛ける必要があった。
本願発明は上記課題に鑑み発明されたものであって、施錠、解錠操作が可能な指掛け用の凹部を有する引き戸用の取手装置であって、指掛け用の凹部内に施錠、解錠用の操作部を有するものでありながら、指先掛けを阻害することのない取手装置を提供することを課題とするものである。
また、装置として必要な指掛け用の凹部（手掛け凹部）をやや上回る程度の大きさに形成可能であり、肉厚の異なる扉にも装着できるように構成した取手装置を提供することを課題とするものである。
【課題を解決するための手段】
【０００６】
上記課題を解決するために本願発明は以下の構成を有するものである。
すなわち、
扉の内面側に装着する内側フレームと扉の外面側に装着する外側フレームを有し、
前記内側フレームは、
扉に設けた穴の外周囲に接するフランジ部と、
当該フランジ部の内側に設けた長溝状の指掛け凹部と、
当該指掛け凹部の長手方向の上端部において出没する操作ボタンおよび当該指掛け凹部の下端部において出没する操作ボタンと、
当該指掛け凹部の上下に設けた操作ボタンを連結するとともに、扉の施錠および解錠機構を有した鈎ユニットを駆動する突出体を設けた連動部材を有し、
前記外側フレームは、
扉に設けた穴の外周囲に接するフランジ部と、
当該フランジ部の内側に設けた長溝状の指掛け凹部を有していることを特徴とする引き戸用の取手装置
【０００７】
また、前記取手装置において、前記連動部材を平板状に形成するとともに、前記指掛け凹部の背面に沿って往復移動可能に配置したことを特徴とする。
【０００８】
また、前記取手装置において、前記外側フレームが有する指掛け凹部の内面に表裏貫通する小孔を設けるとともに、当該指掛け凹部の背面において往復移動可能な略板状の作動体を設け、前記小孔を介して前記作動体の位置を視認できるように形成したことを特徴とする。
【０００９】
また、前記取手装置において、前記内側フレームと外側フレームにはそれぞれ対向して互いに係合する結合手段を設け、当該内側フレームと外側フレームを、扉の肉厚に応じて任意の距離で結合するように形成したことを特徴とする。
【００１０】
また、前記取手装置において、前記結合手段の一方には摩擦力を高める凹凸部を設けた板状の突出部材を設けるとともに、前記結合手段の他方には前記突出部材を収容可能な受容部を設けたことを特徴とする。
【発明の効果】
【００１１】
本発明は、扉の表裏に装着する一対の内側フレームと外側フレームを有し、扉の施錠および解錠機構を有した鈎ユニットを駆動するための操作ボタンを設けたものである。そして、当該操作ボタンを指掛け凹部の内面である上下の両端において連動して出没するように形成したものである。すなわち、上部操作ボタンを押し上げると下部操作ボタンが指掛け凹部内に突出し、下部操作ボタンを押し下げると上部操作ボタンが指掛け凹部内に突出するようになっている。そして、各操作ボタンが出没する場合であっても、対向する上部操作ボタンと下部操作ボタンの距離は常に一定であることから指掛け凹部として機能する凹所の幅および長さは常に一定であり、当該凹部内の中間に突出させた操作手段を設けていない。したがって、鈎ユニットを駆動するための操作ボタンを有するにも関わらず、当該操作ボタンが凹部内に差し込む指先の挿入を阻害することが無いという効果を有している。
【００１２】
また、本発明は、前記上部操作ボタンと下部操作ボタンを連動させる連動部材を平板状に形成するとともに、前記指掛け凹部の背面に沿って往復移動するように配置している。これによって、内側フレームと外側フレームの間に連動部材が配置される構造でありながら、内側フレームと外側フレームの間隔を短くすることができ、装置を薄く形成することができるという効果がある。また指掛け凹部を避けた位置に駆動機構を設ける必要がなく、指掛け凹部の形成に必要な最小限の大きさ程度に装置を形成することができるという効果を有している。
【００１３】
また、外側フレームが有する指掛け凹部の内面に表裏貫通する小孔を設け、当該指掛け凹部の背面において前記作動体に連動して往復移動する略板状の作動体を設けることで、小孔を介して扉が施錠状態であるか、解錠状態であるかを視認させることができる。すなわち、指掛け凹部内に視認可能な小孔を設けることで、指掛け凹部から離れた場所に施錠状態等を視認させる手段を設ける必要がない。これにより、指掛け凹部の形成に必要な最小限の大きさ程度に装置を形成することができるという効果を有している。これにより、扉に設ける取り付け用の穴も小さくすることができるという効果を有している。
【００１４】
本発明に係る取手装置は、扉の表裏からそれぞれ内側フレームと外側フレームを装着し、対向させた状態で両者を結合するようになっている。この結合は、内側フレームと外側フレームにそれぞれ設けた結合手段同士を嵌め合わせることで行われるようになっており、ネジなどの他の締結手段を必要としないという効果がある。また、扉の厚みに応じて内側フレームと外側フレームの間隔を変化させる必要があるが、本発明に係る取手装置は扉の表裏面に内側フレームと外側フレームを装着するたけで、特段の調整を必要とすることなく扉の厚みの変化に対応して両者が結合できるという効果を有している。
【００１５】
本発明に係る取手装置は、前記結合手段として凹凸部を設けた板状の突出部材と、当該板状の突出部材に設けた凹凸部と接触して摩擦力を発揮する前記突出部材を収容する受容部を設けたものである。この構造により、摩擦抵抗に反して受容部に押し込んだ突出部材は、同程度以上の力で引き抜かなければ結合を解除できないものである。また、取付ける場合には両者を近接させるように両方のフランジ部を押すだけでよいが、引き離す場合には力を作用させる部位が表出していないため、バール等の工具をフランジ部と扉の間に差し込むなどの作業が必要になる。このように、本発明に係る取手装置は、取付けは簡単であるが通常の使用時において容易に外れることが無いという効果を有しているものである。
【図面の簡単な説明】
【００１６】
【図１】本発明に係る取手装置の使用例を表した説明図である。
【図２】本発明に係る用取手装置の分解斜視図である。
【図３】取手装置を構成する内側組立体および外側組立体の説明図である。
【図４】外側組立体と内側組立体の結合状態を表す側面図である。
【図５】本発明に係る取手装置に用いる鈎ユニットの外観図である。
【図６】内側フレームの動作状態と鈎ユニットの関係を表した説明図である。
【図７】外側フレームの動作状態と鈎ユニットの関係を表した説明図である。
【図８】取手装置の状態と鈎ユニットの状態を表した外観斜視図である。
【図９】取手装置の外形および扉との接触部位を表した説明図である。
【発明を実施するための形態】
【００１７】
以下本発明を実施するための形態について説明する。
図１は本発明に係る引き戸用取手装置（以下「取手装置」という）１の使用例を表した説明図を表している。取手装置１は、図１（ａ）に示すように引き戸（扉）Ｄの端部に取り付けられるものであり、戸枠Ｗとの当接面Ｄａ近傍において扉Ｄの表裏（引き戸の内側および外側）に指掛け用の凹部を形成するものである。取手装置１は、扉Ｄの内側および外側に前記指掛け用の凹部を形成するため、それぞれ独立した構成体である室内側用の内側フレーム３と室外側用の外側フレーム２を有している。図１（ｂ）は、図１（ａ）に示した取手装置１の周辺Ｃ１（二点鎖線で示した円）部分の拡大図であって扉Ｄの該当部分を透過させて表した説明図である。
【００１８】
取手装置１が有する内側フレーム３と外側フレーム２は、扉の表面に表出するフランジ部を除き扉Ｄの内部に埋設するように収容されている。
内側フレーム３は、扉Ｄの表面に表出する長方形状の外形を有する板状のフランジ部４と、当該フランジ部４の略中央に設けた長方形状の開口を有する凹部５を有している。当該凹部５は、扉Ｄを移動させる際に指先をかける指掛部として使用される部位であるとともに、詳細には後述するロック機構を操作するための操作スイッチを配置する場所になっている。
また、外側フレーム２は、扉Ｄの表面に表出する長方形状の外形を有する板状のフランジ部６と、当該フランジ部６の略中央に設けた長方形状の開口を有する凹部７を有している。当該凹部７は、扉Ｄを移動させる際に指先をかける指掛部として使用される部位であるとともに、詳細には後述する鈎ユニット８の駆動に伴う施錠および解錠を視認させる表示部を配置する場所になっている。
【００１９】
前記鈎ユニット８は、前記取手装置１と同様に扉Ｄの内部に埋設されるものであり、戸枠Ｗと当接する扉Ｄの当接面Ｄａから出没する鈎体９を、取手装置１の操作に基づいて駆動するものである。鈎体９は、戸枠Ｗに取り付けた受金具（図示せず）と着脱可能に係合するものであり、当接面Ｄａから鈎体９が出ている場合に前記受金具と係合して扉Ｄが開くのを制限し、当接面Ｄａから鈎体９が出ていない場合には前記受金具と係合することなく自由に扉Ｄの開閉を行わせることができるものである。
【００２０】
図２は、取手装置１の分解斜視図を表しており、内側フレーム３、外側フレーム２およびこれらに取り付けられる各手段をそれぞれ裏側方向から見た状態で示している。なお扉Ｄに装着される場合には、各フレーム３、４の裏面同士が対向するように配置されるものであり、各フレーム３、４の裏面側に設けた結合手段が互いに対向して係合し両フレームを結合するようになっている。
【００２１】
内側フレーム３は、一例として硬質の合成樹脂によって一体的に形成された部材であり、前述した扉Ｄの表面に表出する長方形状のフランジ部４と、当該フランジ部４の略中央に設けた長方形状の開口を有する凹部５を有している。フランジ部４は肉厚が約1.5mm程度の板状に形成されている。前記凹部５はフランジ部４と同程度の肉厚を有する隔壁で囲まれた直方体状の空間として形成されており、裏面側に突出させた膨出部５ａを設けることで形成されたものである。
一例として凹部５の大きさは、引き戸を操作する際に用いる指掛け部として、人差し指から小指に至る四指が余裕をもって差し入れることができる程度の大きさに形成されている。具体的には幅、長さ、深さがそれぞれ22mm、110mm、10mm程度となるように形成されている。
【００２２】
また、前記膨出部５ａの上端には凹部５内と連通する矩形の上部開口１０が形成され、膨出部５ａの下端には凹部５内と連通する矩形の下部開口１１が形成されている。さらに、上部開口１０を介して凹部５内に出没する上部操作ボタン１２と、下部開口１１を介して凹部５内に出没する下部操作ボタン１３が設けられている。上部操作ボタン１２および下部操作ボタン１３は、凹部５内の上端と下端において出没する操作スイッチとして機能するものであり、膨出部５ａの背面に上下動可能に配置した連動部材１４によって連結されたものである。
【００２３】
連動部材１４は、所定形状に打ち抜いた金属板を折り曲げて形成したものであり、本体部分となる略長方形状の板状部１５を有し、当該板状部１５の上端に形成した折り返し部１６と下端に形成した折り返し部１７を形成したものである。
折り返し部１６は、上部操作ボタン１２の凹部５内に表出しない部位に形成した凹所１２ａに差し込むことができる爪として形成されており、凹所１２ａとの嵌め合いによって上部操作ボタン１２を脱落させることなく係合する部位となっている。折り返し部１７も同様に、下部操作ボタン１３の凹部５内に表出しない部位に形成した凹所１３ａに差し込むことができる爪として形成されており、凹所１３ａとの嵌め合いによって下部操作ボタン１３を脱落させることなく部位となっている。
【００２４】
上記のように上部操作ボタン１２と下部操作ボタン１３は連動部材１４によって連結されており、凹部５内において上部操作ボタン１２を上昇させると下部操作ボタン１３が上昇し、下部操作ボタン１３を押し下げると上部操作ボタン１２が下降するようになっている。すなわち、凹部５内おいて対向する上部操作ボタン１２の操作面１２ｂと下部操作ボタン１３の操作面１３ｂは常に同一の距離を保ったまま上下動するようになっている。
また、上部操作ボタン１２の操作面１２ｂが凹部５内に突出している時には下部操作ボタン１３の操作面１３ｂが凹部５の下側の開口縁５８とほぼ同じ位置まで下降し、下の操作面１３ｂが凹部５内に突出している時には上の操作面１２ｂは凹部５の上側の開口縁５７とほぼ同じ位置まで上昇するようになっている（図８参照）。これにより、凹部５の実質的な開口面積および容積は、上部操作ボタン１２もしくは下部操作ボタン１３の操作に関係なくほぼ一定であり、上部操作ボタン１２および下部操作ボタン１３が何れの位置にあるかに係らず指の差し入れを阻害しないようになっている。
【００２５】
上部操作ボタン１２および下部操作ボタン１３の操作に連動して上下動する前記連動部材１４は、板状の本体部分の上下中間位置の両側に、外側フレーム２側に向けて突出させた２つの突出体１８（１８ａ、１８ｂ）を設けている。当該突出体１８、１８は、詳細には後述する前記鈎ユニット８を駆動する作動部材として機能するものとなっている。
【００２６】
また、内側フレーム３が有するフランジ部４の裏面と外側フレーム２が有するフランジ部６の裏面には、互いに対向して係合することで両者を結合する結合手段が設けられている。
内側フレーム３には、当該結合手段として外側フレーム２に設けた板状の突出部（板状体３０）を受け入れる受容部２２が設けられている。当該受容部２２（２２ａ、２２ｂ、２２ｃ、２２ｄ）は、フランジ部４裏面の膨出部５ａの側壁と一体に形成した４カ所の装着部２０（２０ａ、２０ｂ、２０ｃ、２０ｄ）と、当該装着部２０に装着される４個の装着片２１（２１ａ、２１ｂ、２１ｃ、２１ｄ）によって形成されている。
上記４個の装着部の内の２個の装着部２０ａ、２０ｂは、膨出部５ａの上方部分において膨出部５ａを挟んで左右対称となる位置に設けられており、残りの２個の装着部２０ｃ、２０ｄは、膨出部５ａの下方部分において膨出部５ａを挟んで左右対称となる位置に設けられている。
【００２７】
図２において示したＣ２は、Ｃ２’として２点鎖線で示した円形部位に設けられている装着部２０ｄに、装着片２１ｄを装着して一つの受容部２２を構成した状態を表している。
装着片２１ｄは、上下両端に段差を伴うクランク状に屈曲させた縁部２３を形成した矩形の板状部を有したものである。そして、当該縁部２３を前記装着部２０ｄに装着することによって両者は結合し受容部の一つを構成するようになっている。
また、装着片２１ｄの上下に設けた縁部２３には、それぞれくさび状の突起２４が設けられており、装着部２０ｄに形成した係合孔２５と係合するようになっている。くさび状の突起２４は、係合孔２５に対して装着部２０ｄに差し込む方向には緩やかで抜き去る方向には急な斜面が当接するように形成した突起であり、装着しやすく容易に抜け出るのを防止する手段となっている。
【００２８】
また、装着片２１ｄの上下の縁部２３、２３の間に設けられている板状部の内側面には、上下方向に沿った微細な凹凸条２６が形成されている。当該凹凸条２６は、外側フレーム２に設けた板状体３０の側面と係合する部位となっている。
受容部２２は、装着部２０ｄに装着した装着片２１ｄによって構成されるものであり、外側フレーム２に設けた板状体３０を招き入れる開口と収容部を形成し、板状体３０との嵌め合いによって両者の結合状態を維持するように形成されたものである。
以上説明した当該装着部２０ｄが備える構造は、配置される向きが左右対称の形状であることを除き他の装着部２０ａ、２０ｂ、２０ｃと同じである。また、装着片２１ｄが備える構造も、配置される向きによって左右対称の形状であることを除き他の装着片２１ａ、２１ｂ、２１ｃと同じであり、前述と同様の受容部を形成するものである。
【００２９】
次に外側フレーム２について説明する。外側フレーム２は、一例として硬質の合成樹脂によって一体的に形成された部材であり、前述したように扉Ｄの表面に表出する長方形状のフランジ部６と、当該フランジ部６の略中央に設けた長方形状の開口を有する凹部７を設けたものである。
フランジ部６は肉厚が約1.5mm程度に形成されており、前記凹部７はフランジ部６と同程度の肉厚を有する隔壁によって囲まれた空間として形成されており、フランジ部６の裏面に突出させた膨出部７ａの形成を伴うものである。
凹部７は、フランジ部６の表面に開口を有する直方体状の空間であり、扉Ｄを操作する際に用いる指掛け部として、人の人差し指から小指のまでの四指が余裕をもって差し入れることができる大きさに形成されている。具体的には、一例として幅、長さ、深さがそれぞれ22mm、110mm、10mmとなるように形成されている。
【００３０】
外側フレーム２には、内側フレーム３に設けた前記４カ所の受容部２２ａ、２２ｂ、２２ｃ、２２ｄに挿入される突出部として４個の板状体３０（３０ａ、３０ｂ、３０ｃ、３０ｄ）が取り付けられている。当該４個の板状体３０は、全て同一の形状に形成されている。
板状体３０ｃを例として板状体の構造を説明すると、板状体３０ｃは肉厚が1〜1.5mm程度の矩形体として形成されている。板状体３０ｃの上下の両端縁には、くさび状の突起３１が設けられており、膨出部７ａの上下両側縁に設けた装着部３２（３２ａ、３２ｂ、３２ｃ、３２ｄ）に設けた係合孔３３に係合させることによって、当該装着部３２に差し込むように装着した各板状体３０を抜け落ちないように保持している。くさび状の突起３１は、係合孔３３に対して差し込む方向には緩やかで抜き去る方向には急な斜面が当接するように形成されており、装着しやすく容易に抜け出るのを防止するようになっている。
なお、前記板状体３０を外側フレーム２から分離したのは、金型が小さくすることができる等の製造上の利点と、長さの異なる板状体を扉の厚みに応じて使い分けることが可能であるからである。すなわち、厚みのある扉の場合には比較的長い板状体を使用し、厚みの薄い扉の場合には図示している程度の長さの板状体を使用する。
【００３１】
図２に示したＣ３は、Ｃ３’として２点鎖線で示した円形部位に設けられている装着部３２ｃと板状体３０ｃによって形成される突出部の一つを表している。装着部３２ｃは、前記膨出部７ａの両側面に沿って一体的に形成された上下一対のガイドレール状の部位であり、前述したように矩形に形成された板状体３０の上下両縁を保持する部位である。
また各装着部３２は、前記膨出部７ａの上方および下方において、対称となる配置でそれぞれ左右の側壁に設けられている。そして、各装着部３２は、前記内側フレーム３に設けた前記４カ所の受容部２２と対向する位置に設けられており、当該装着部３２に装着した各板状体３０の全てを同時に前記受容部２２に挿入し結合させることができるようになっている。
【００３２】
板状体３０ｃの側面には、上下方向に沿った凹凸条３４が形成されている。当該凹凸条３４は、内側フレーム３に設けた受容部２２（装着片２１）の内面に形成した凹凸条２６と噛み合う形状に形成されており、受容部２２に挿入した板状体３０との間で高い摩擦力を発揮し、通常の引き戸操作では容易に解除されない結合力で結合するようになになっている。なお、一定以上の力が加えられた場合には受容部２２および板状体３０や装着部３２を破壊することなく両者の係合を解除するようになっている。
【００３３】
また、指掛け部となる凹部７の形成によって背面側に突出した膨出部７ａの表面（凹部７底面の裏面）には、上下方向に長い作動体３５が上下動可能に配置されている。
作動体３５は、略中央付近において左右方向に幅を広げた拡幅部３６（３６ａ、３６ｂ）と、当該拡幅部３６の上下に設けた長方形状の延出部３７（３７ａ、３７ｂ）を有した板状の部材として形成されている。
前記長方形状の延出部３７ａ、３７ｂは、膨出部７ａの長手方向に沿った直線状の側縁を有している。当該側縁は、膨出部７ａ表面の上下に設けられた、互いに対向して配置した２個一対の凸壁状のガイド３８およびガイド３９によって、膨出部７ａの長手方向に沿った方向にのみ移動可能に保持されている。
当該凸壁状のガイド３８、３９は、対向する一対の壁の間で延出部３７ａ、３７ｂの幅方向の動きを制限し、内側へ突出させた爪状の小突起３８ａ、３９ａによって延出部３７ａ、３７ｂが外れるのを防止している。当該小突起３８ａ、３９ａは、作動体３５を装着する方向には緩く離脱する方向には鋭角な当接面を有しており、作動体３５を装着しやすく離脱しにくい形状となっている。
【００３４】
なお、作動体３５の上方に形成した長方形状の延出部３７ａと、下方に形成した長方形状の延出部３７ｂの幅は異なっている。具体的には、一例として下方の延出部３７ｂの幅が、上方の延出部３７ａの幅よりも狭く形成されている。これに応じて、前記膨出部７ａの上方に設けた凸壁状のガイド３８と下方に設けたガイド３９では対向する壁の間隔が異なっている。これは、作動体３５の上下を誤って装着することがないようにするためである。
作動体３５の上方の延出部３７ａには、凹部７の底面（膨出部７ａの表面）に設けた矩形の小孔７ｃを介して見ることができる印が設けられており、作動体３５の上下移動に応じてその印が移動するようになっている。このため作動体３５の印が小孔７ｃと適切に対応した配置となるように逆向きの取り付けができないようになっている。
【００３５】
作動体３５の略中央付近に形成した左右の前記拡幅部３６ａ、３６ｂには、拡幅方向に向かって開口したコ字状の凹部４０（４０ａ、４０ｂ）が形成されている。当該凹部４０は、前記連動部材１４に設けた突出体１８（１８ａ、１８ｂ）と係合する部位であって、連動部材１４の上下移動に伴って作動体３５を上下移動させるための係合部となっている。
【００３６】
取手装置１は、上記の通り各種の手段から構成されるものであって、主に内側フレーム３を主体とする内側組立体４２と外側フレーム２を主体とする外側組立体４１によって構成されることになる。図３は、当該内側組立体４２と外側組立体４１、扉内に収容される内部側から表した説明図である。
外側組立体４１は、外側フレーム２が有するフランジ部６の裏面に突出した膨出部７ａの両側部の上下に、当該膨出部７ａの突出方向と同方向に向かって突出した４個の板状体３０を有している。膨出部７ａの表面である凹部７の裏面７ｂは平坦面として形成されており、前記４個の板状体３０は当該裏面７ｂよりも突出するように形成されかつ取り付けられている。また当該突出した部位の側面には前述の通り前記凹凸条３４が形成されている。
また、上記裏面７ｂには、作動体３５がガイド３８、３９によって上下方向（長手方向）の一定範囲（移動ストロークＳの長さが1cm程度）内で往復移動が可能に装着されている。そして、作動体３５の一側面には、裏面７ｂに開口した前記小孔７ｃを介して視認できる印が設けられており、当該印の有無によって作動体３５の動作状態を知ることができるようになっている。
【００３７】
前記作動体３５は、膨出部７ａの裏面７ｂ上において上下どちらかに移動した場合であっても、膨出部７ａの上端および下端を超えて突出しない形状と大きさに形成されている。すなわち作動体３５の長手方向の全長は、引き手の指掛け部(凹部７)を構成するために設けた膨出部７ａの長手方向全長から移動ストロークＳ分の長さを差し引いた長さよりも短くなるように形成されている。そして、小孔７ｃは常に作動体３５によって覆われている必要があり、これにより小孔７ｃを介して作動体３５の所定位置に設けた印の移動が視認できるようになっている。
【００３８】
内側組立体４２は、外側フレーム３が有するフランジ部４の裏面に突出した膨出部５ａの両側部の上下に、４カ所の受容部２２を設けている。受容部２２は、前記外側組立体４１の４個の板状体３０を収容する空間であり、差し込まれた板状体３０を保持することによって内側組立体４２と外側組立体４１との結合状態を維持するものである。
膨出部５ａの表面となる凹部５の裏面５ｂは平坦面として形成されており、当該裏面５ｂ上の長手方向両脇に設けたガイド部材４４（４４ａ、４４ｂ）と４５（４５ａ、４５ｂ）によって前記連動部材１４を上下動可能となるように保持している。
ガイド部材４４、４５はともに裏面５ｂ上に立設された長板状の部位であり、互いに対向するガイド部材４４ａ、４４ｂおよびガイド部材４５ａ、４５ｂの間に連動部材１４を装着し保持するようになっている。各ガイド部材４４ａ、４４ｂおよびガイド部材４５ａ、４５ｂの内面側には、装着した連動部材１４が脱落しないよう爪状の突起４６，４７がそれぞれ設けられている。当該突起４６、４７は、連動部材１４を装着する方向には緩く離脱する方向には鋭角な当接面を有しており、連動部材１４を装着しやすく離脱しにくい形状となっている。
【００３９】
上記の構造によって、連動部材１４の板状部１５が膨出部５ａの表面と僅かな隙間を介して近接するとともに、ガイド部材４４と４５によって往復移動方向以外の移動が制限されるようになる。
また、連動部材１４が装着されると、連動部材１４の上下両端に形成されている折り返し部１６および折り返し部１７が、それぞれ前記膨出部５ａ上端の上部開口１０および膨出部５ａ下端の下部開口１１から当該連動部材１４の往復移動に応じて表出可能となる。そして、これら折り返し部１６および折り返し部１７には、凹部５の内面側から上部操作ボタン１２および下部操作ボタン１３が装着され、以後上部操作ボタン１２および下部操作ボタン１３の押圧操作に伴って連動部材１４が往復移動可能となる。
【００４０】
上記構成の内側組立体４２と外側組立体４１の結合する際、作動体３５に形成した凹部４０ａ、４０ｂ内に、連動部材１４の突出体１８ａ、１８ｂを差し込むようになる。これにより、操作ボタン１２および下部操作ボタン１３の押圧操作に伴う連動部材１４の往復移動に伴って作動体３５が往復移動するようになる。
また、扉Ｄに装着する際、鈎ユニット８に設けられている駆動手段５０に前記連動部材１４に設けた突出体１８を係合させる。駆動手段５０は上下に揺動するレバーであり、連動部材１４の上下移動に伴って上下に揺動することで、扉の端面から鈎体９を出没させるようになっている。
また、膨出部７ａの表面のガイド３８、３９と膨出部５ａの表面のガイド部材４４と４５は、内側組立体４２と外側組立体４１の対向時に互いに当接することが無いように配置されている。内側組立体４２と外側組立体４１の近接時の距離をできるだけ短くし、薄い扉であっても使用できるようにするためである。
【００４１】
図４（ａ）および図４（ｂ）は、互いに接合させた外側組立体４１と内側組立体４２を側方から表した側面図である。
図４（ａ）は内側組立体４２と外側組立体４１を近接させて結合した状態を表している。この状態では、外側組立体４１の板状体３０が内側組立体４２の受容部２２の中にほぼ収容された状態となり、この状態で両者は引き離さないように固定されている。
また図４（ｂ）は外側組立体４１と内側組立体４２を離間させて結合した状態を表している。この状態では、外側組立体４１の板状体３０が全て受容部に入るわけではなく先端の一部が内側組立体４２の受容部２２の中に収容された状態となっている。このため前記図４（ａ）に示した状態よりも内側組立体４２と外側組立体４１の距離が離れた状態で結合している。すなわち、前記図４（ａ）に示した状態のフランジ部４、フランジ部６間の距離をＬ１、当該図４（ｂ）に示した状態のフランジ部４、フランジ部６間の距離をＬ２とすると、内側組立体４２と外側組立体４１はこのフランジ部４とフランジ部６間の距離がＬ１〜Ｌ２の範囲であれば結合可能となっている。すなわち、装着する扉の厚みが前記Ｌ１〜Ｌ２の範囲であれば、厚みが異なる扉であっても特段の加工や用具を必要とすることなく本実施の形態に係る取手装置１を使用することができるようになっている。
【００４２】
図５は、鈎ユニット８の外観図を表している。鈎ユニット８は、前記取手装置１から独立した別個の機構体であって、前記取手装置１の操作に応じて扉の端面からフック状の鈎体９を出没させるものである。
当該鈎ユニット８は、主な構成として扉の端面に固定するためのフランジ部５１と、当該フランジ部の背面に設けられた機構部５２を有している。機構部５２は、背面側に突出したレバー状の前記駆動手段５０の上下動作に基づいて、フランジ部５１前面部から鈎体９を出没させる機構を内蔵している。鈎体９には下向きに開口を有する凹部が設けられており、当該凹部が係合部位となって戸枠に設けられている被係合手段と係合するようになっている。このため、鈎体９は上方から下に向かって回動しながら表出するようになっている。
また、機構部５２は、表出している鈎体９に力が加わった場合に鈎体９がフランジ部５１内に没することができるように構成されている。これは、鈎体９が表出した状態で戸枠に設けられている被係合手段に衝突するような場合であっても、鈎体９が上方へ逃げることで機構部５２の破壊を防止するためである。
【００４３】
図６は、上部操作ボタン１２および下部操作ボタン１３の操作によって上下動する連動部材１４と、当該連動部材１４によって駆動される鈎ユニット８の状態を表した説明図である。
図６（ａ）に示した状態は、内側フレーム３の裏面に配置された連動部材１４が下側に移動している状態である。連動部材１４の下側移動は、下部操作ボタン１３が下に向かって押し下げられることにより行われるものであり、この下部操作ボタン１３の押し下げ操作によって連動部材１４が下側に移動することで駆動手段５０が押し下げられて鈎体９が表出する。
図６（ｂ）に示した状態は、内側フレーム３の裏面に配置された連動部材１４が上側に移動している状態である。連動部材１４の上側移動は、上部操作ボタン１２が上に向かって押し上げられることにより行われるものであり、この上部操作ボタン１２の押し上げ操作によって連動部材１４が上側に移動することで駆動手段５０が押し上げられて鈎体９がフランジ部５１表面か退去する。
【００４４】
膨出部５ａの上方両端付近には、当該膨出部５ａの上部壁と一体的に接続された板状のリブ５３が、フランジ部４の上端方向に向かってそれぞれ設けられている。当該リブ５３はフランジ部４の裏面とも一体的に設けられており、上部操作ボタン１２の移動範囲の側面を覆って保護するとともにフランジ部４を補強するようになっている。また、当該リブ５３の先端とフランジ部４の上端との間には隙間が設けられており、当該リブ５３の先端は、扉に開けられた穴との接触部位を果たすとともに、前記隙間を形成することでフランジ部４の外周に扉との接触領域６０を形成する作用を有している。
また、膨出部５ａの下方両端付近にも、当該膨出部５ａの下部壁と一体的に接続された板状のリブ５４が、フランジ部４の下端方向に向かってそれぞれ設けられている。当該リブ５４はフランジ部４の裏面とも一体的に設けられており、下部操作ボタン１３の移動範囲の側面を覆って保護するとともにフランジ部４を補強するようになっている。また、当該リブ５４の先端とフランジ部４の下端との間には隙間が設けられており、前記リブ５３と同様に、扉に開けられた穴との接触部位を果たすとともに、前記隙間を形成することでフランジ部４の外周に扉との接触領域６０を形成する作用を有している。
また、膨出部５ａ両側部の上下には、それぞれ外側フレーム２との結合に用いる装着部２０、装着片２１からなる受容部２２（２２ａ、２２ｂ、２２ｃ、２２ｄ）が設けられている。そして、両側部に配置される受容部２２ａおよび受容部２２ｂ、受容部２２ｃおよび受容部２２ｄをむすぶ外形的な幅が、膨出部５ａの側部における外形の最広部となっている。当該最広部を構成する各受容部２２の側面からフランジ部４の側部端縁までの間には隙間が設けられており、当該両側部の隙間と前記上下に設けた隙間とともに扉との接触領域６０を形成している。以上の構成によって、フランジ部４の外周部にほぼ均一幅の環状の接触領域６０が形成される。
【００４５】
図７は、前述した内側フレーム３の裏面に配置された連動部材１４によって駆動される鈎ユニット８の状態と、外側フレームの背面に配置した作動体３５の状態を表した説明図である。連動部材１４の上下動に応じて作動体３５が連動して上下動することは前述した通りである。また、作動体３５に外側フレームに設けた矩形の小孔７ｃを介して見ることができる印３５ｃを設けたことも前述した通りである（小孔７ｃは外側フレームの背面側からは見ることができないものであるが、図７では説明のためにその位置を示している。）。
図７（ａ）に示した状態は、連動部材１４が下側に移動して鈎体９が表出している状態を表しているが、この際作動体３５も同様に下側に移動している。この時、作動体３５に設けた印３５ｃは小孔７ｃ内の下側に位置している。また、後述するように印３５ｃの上部に着色部３５ｄが設けられており、当該着色部３５ｄも小孔７ｃを介して視認することができるようになっている。
図７（ｂ）に示した状態は、連動部材１４が上側に移動して鈎体９が没している状態を表しているが、この際作動体３５も同様に上側に移動する。この時、作動体３５に設けた印３５ｃは小孔７ｃ内の上側に位置している。また、着色部３５ｄは小孔７ｃからの視認できなくなっている。
【００４６】
膨出部７ａの上方には、当該膨出部７ａの上部壁と一体的に接続された板状のリブ５５が、フランジ部６の上端方向に向かって設けられている。当該リブ５５はフランジ部６の裏面とも一体的に設けられておりフランジ部６を補強するようになっている。また、当該リブ５５の先端とフランジ部６の上端との間には隙間が設けられており、当該リブ５５の先端が扉に開けられた穴との接触部位を果たすとともに、前記隙間を形成することでフランジ部６の外周に扉との接触領域６１を形成する作用を有している。
また、膨出部７ａの下方にも、当該膨出部７ａの下部壁と一体的に接続された板状のリブ５６が、フランジ部６の下端方向に向かって設けられている。当該リブ５６はフランジ部６の裏面とも一体的に設けられておりフランジ部６を補強するようになっている。また、当該リブ５６の先端とフランジ部６の下端との間には隙間が設けられており、前記リブ５５と同様に扉に開けられた穴との接触部位を果たすとともに、隙間を形成することでフランジ部６の外周に扉との接触領域６１を形成する作用を有している。
また、膨出部７ａ両側部の上下には、それぞれ内側フレームとの結合に用いる装着部３２（３２ａ、３２ｂ、３２ｃ、３２ｄ）と当該装着部３２に取り付けられる板状体３０（３０ａ、３０ｂ、３０ｃ、３０ｄ）が設けられている。この装着部３２および板状体３０を設けた部位が膨出部７ａの側部における外形的の最広部となっている。そして、当該最広部を構成する各装着部３２および板状体３０の側面から、フランジ部６の側部端縁までの間には隙間が設けられており、当該両側部の隙間と前記上下に設けた隙間によって扉と接触する一定幅の環状の接触領域６１を形成している。
【００４７】
図８は、上記上部操作ボタン１２と下部操作ボタン１３の操作に伴う鈎ユニット８の状態を、取手装置１の内側（室内側）および外側（室外側）から表した説明図である。図８（ａ）および図８（ｂ）は、ともに鈎ユニット８から鈎体９が表出した状態を示している。すなわち、扉がロックされた状態である。本実施の形態に係る取手装置１は、一例としてトイレ用の引き戸に使用することができる。この場合、室内側から取手装置１を操作して施錠および解錠を行うわけであるが、この操作として内側フレーム３の引き手として形成された凹部５内の上下に配置された上部操作ボタン１２若しくは下部操作ボタン１３の押圧操作を行う。上部操作ボタン１２と下部操作ボタン１３の操作面は凹部５内で互いに対向しており、かつ両者は裏側で連結されているのでどちらのボタンを操作しても対向面の距離は一定である。すなわち、上部操作ボタン１２と下部操作ボタン１３の上下に関係なく凹部５の長さ、幅、深さは常に一定であって、上部操作ボタン１２と下部操作ボタン１３の状態に応じて手指が差し入れにくくならないようになっている。
【００４８】
また、本実施の形態では下部操作ボタン１３を押下して上部操作ボタン１２が表出することで施錠状態となるようにしているので、使用者から視認することができる上部操作ボタン１２の表面に着色若しくは文字による施錠表示をするようになっている。
また、前述のように施錠状態の場合に、室外側に面した外側フレーム２の指掛け用の凹部７内に設けた小孔７ｃを介して表出する印として赤色等の着色部３５ｄを表出するようにすることができる。これは、施錠にともなって降下する作動体３５に前記印３５ｃとともに着色部３５ｄを設けることによって実施することができる。
【００４９】
図８（ｃ）および図８（ｄ）は、ともに鈎ユニット８内に鈎体９が没している状態を示している。すなわち、扉がロックされず自由に開閉できる状態である。
図示した例では、上部操作ボタン１２を上方に押し上げて下部操作ボタン１３が表出することで解錠するようにしている。そして、前述した上部操作ボタン１２の表面の着色若しくは文字による施錠表示が使用者から視認することができなくなり、ロックが解除された状態であることを使用者に認識させるようになっている。
また、上記施錠を解除した状態では、室外側に面した外側フレーム２の指掛け用の凹部７内に設けた小孔７ｃを介して表出していた赤色等の着色部３５ｄが上方に移動して視認できなくなり、上方に移動した前記印３５ｃだけが見えるようになる。これにより、室外から扉が施錠されていないことを認識できるようになっている。
【００５０】
扉表面に設ける凹部によって引き戸用の取手を形成する場合、当該凹部には指先の出し入れに支障が生じない程度の大きさの開口部が必要とされる。一方において、取手を形成するには扉の側面に取り付け用の穴開け加工を行わなければならないが、穴の大きさはなるべく小さく単純な形状であるのが望ましい。
本実施の形態に係る取手装置１は、各フランジ部４、６の背面に設けている構造物が、各フランジ部４、６の全長および幅を超えないようになっている。また、扉に開ける穴の大きさは、フランジ部４、６の全長および幅よりも小さく形成される。そして、フランジ部４、６の背面に設けられている構造物が収容可能な最低限の大きさに形成されることになる。
当然ながら、扉に開ける穴の大きさがフランジ部４、６の全長および幅よりも大きいと取手装置１が扉内に脱落して取り付けができなくなり、フランジ部４、６の背面に設けられている構造物よりも小さいと扉内に収容できないからである。
【００５１】
図９は取手装置１の表裏を表した外観図である。図９（ａ）は取手装置１の外側フレーム２のフランジ部６および当該フランジ部６の中央に配置されている凹部７を表している。また、図９（ｂ）は取手装置１の内側フレーム３のフランジ部４および当該フランジ部４の中央に配置されている凹部５を表している。
外側フレーム２および内側フレーム３の各フランジ部６、４および凹部７、５の大きさは、多少の違いはあっても差し支えないが、特段に異ならせる理由が無いかぎり略同一に形成される。すなわち、フランジ部６、４の全長（Ｖ）および全幅（Ｈ）は同一であり、凹部７、５の長さ（Ｖ０）および幅（Ｈ０）も同一である。
【００５２】
前記凹部７、５の長さ（Ｖ０）および幅（Ｈ０）は、使用者が操作しやすい大きさであることを考慮した寸法に決定される。本実施の形態では当該凹部の長さＶ０×幅Ｈは110mm×22mmに形成している。
また、当該凹部の形態に基づいて各フランジの裏面には前述した膨出部５ａ、膨出部７ａが突出することになるが、当該膨出部５ａ、膨出部７ａの外形的な大きさは、前述の凹所の形状に1mm〜1.5mm程度の肉厚を加えたものになる。すなわち、膨出部５ａ、膨出部７ａの外形は、前記凹部７、５よりも外形が2mm〜3mm程度大きな112mm×24mm〜113mm×25mmとなる。
【００５３】
また、図９（ａ）は外側フレーム２のフランジ部７に設定された扉との接触領域６１（二点鎖線で示した外周領域）を示しており、図９（ｂ）には内側フレーム３のフランジ部４に設定された扉との接触領域６０（二点鎖線で示した外周領域）を示している。
言い換えると、これら接触領域６０、接触領域６１として示した領域の内側の形状が、扉にあける穴の形状であり、この穴の外周囲の一定幅（本実施の形態では約3mm）が、取手装置１との接触領域になる。なお、取手として機能させるには全周囲に3mmもの幅は必要無いのであるが、多少寸法精度の悪い穴が開けられた場合であっても穴を露出させることがないように、接触領域の幅に余裕を持たせている。
【００５４】
上記のように、本実施の形態に係る取手装置１は、扉の開閉操作が不便とならない程度の大きさの指掛け用の凹部５，７を有している。そして、凹部５の大きさは、施錠操作のための上部操作ボタン１２、下部操作ボタン１３を内包しているにも関わらず一定であるので、施錠状態あるいは解錠状態によって指掛けの行いやすさに影響を及ぼすことがないようになっている。
また、上記のように施錠および解錠を行う上部と下部の操作ボタン１２，１３を指掛け用の凹部５内に収容するとともに、これらを凹部５の裏面（膨出部５ａ）に臨ませた連動部材１４によって接続している。当該連動部材１４は、鈎ユニットを駆動する突出体１８を設けた板状体であって、膨出部５ａの外形を著しく超えない大きさに形成されているため、装置として小型化が可能な構造を有している。
【００５５】
取手装置１の横幅は、フランジ４，６の横幅Ｈが最大であり、かつこの横幅Ｈは、指掛け凹部として必要最低限の凹部の横幅Ｈ０の両脇に穴に対する取り付けしろを含めた幅部Ｈ１、Ｈ２を含めたものである。そして、この幅部Ｈ１、Ｈ２は、凹部の横幅Ｈ０の１／２程度若しくは、この寸法値よりも小さく形成することができるものである。したがって、取手装置１の横幅Ｈは、指掛け用の凹部の幅Ｈ０の２倍を超えない大きさで形成することができ、装置の小型化を実現できる構造になっている。
また、取手装置１の上下方向（長手方向）に亘る全長は、フランジ４，６の縦幅Ｖが最大である。この縦幅Ｖは、指掛け凹部として必要最低限の凹部の縦幅Ｖ０と、上下に穴に対する取り付けしろを含めた幅部Ｖ１、Ｖ２を含めたものである。
そして、この幅部Ｖ１、Ｖ２は、凹部内において出没する上部操作ボタン１２と下部操作ボタン１３の移動ストロークＳの約２倍程度の長さに形成されている。実際には、取付穴の精度不良を見越して移動ストロークＳの２倍をやや超える長さに形成しているが、構造的には移動ストロークＳの２倍を下回る寸法値に形成することが可能であり、装置の小型化を実現できる構造になっている。
【００５６】
以上説明した取手装置１は、図１に示すように、室内側から見て扉の左端面に鈎ユニット８を装着する場合を例に説明したものである。この場合、連動部材１４が有する一方の突出体１８ａが鈎ユニット８の駆動手段５０に差し込まれることで鈎ユニット８を動作させることができるものである。
しかし、取手装置１は、図１に示した室内側から見て扉の右端面に鈎ユニット８を装着することも可能な構造を有している。この場合、連動部材１４が有するもう一方の突出体１８ｂを鈎ユニット８の駆動手段５０に差し込むよう構成することで鈎ユニット８を動作させることができるものである。すなわち、本実施の形態に係る取手装置１は、扉の左右何れの端部でも使用できるものとなっている。
【産業上の利用可能性】
【００５７】
本発明は、引き戸に装着する取手装置に利用可能であり、特に浴室やトイレといった室内側からロック操作を行う鈎装置を伴う取手装置に利用可能である。
【符号の説明】
【００５８】
１  取手装置
２  外側フレーム
３  内側フレーム
４  フランジ  
５  凹部
５ａ  膨出部
５ｂ  裏面
６  フランジ部
７凹部
７ａ 膨出部
７ｂ  裏面
７ｃ  小孔
８  鈎ユニット
９  鈎体
１０  上部開口
１１  下部開口  
１２  上部操作ボタン
１２ａ  凹所
１３  下部操作ボタン
１３ａ  凹所
１４  連動部材
１５  板状部
１６  折り返し部
１７  折り返し部
１８（１８ａ、１８ｂ）  突出体
２０（２０ａ、２０ｂ、２０ｃ、２０ｄ）  装着部
２１（２１ａ、２１ｂ、２１ｃ、２１ｄ）  装着片
２２（２２ａ、２２ｂ、２２ｃ、２２ｄ）  受容部
２３  縁部
２４  突起
２５  係合孔
２６  凹凸条
３０  突出部（板状体）
３０（３０ａ、３０ｂ、３０ｃ、３０ｄ）  板状体
３１  突起
３２（３２ａ、３２ｂ、３２ｃ、３２ｄ）  装着部
３３  係合孔
３４  凹凸条
３５  作動体
３５ｃ  印
３５ｄ  着色部
３６（３６ａ、３６ｂ）  拡幅部
３７（３７ａ、３７ｂ）  延出部
３８、３９  ガイド
３８ａ、３９ａ  小突起
４０（４０ａ、４０ｂ）  凹部
４１  外側組立体
４２  内側組立体
４４（４４ａ、４４ｂ）  ガイド部材
４５（４５ａ、４５ｂ）  ガイド部材
４６，４７  突起
５０  駆動手段
５１  フランジ部
５２  機構部
５３  リブ
５４  リブ
５５  リブ
５６  リブ
５７  開口縁
５８  開口縁
６０  接触領域
６１  接触領域
Ｄ  引き戸（扉）
Ｄａ  当接面
Ｓ  移動ストローク
Ｗ  戸枠
【図１】
2014224370.tif 000003
【図２】
2014224370.tif 000004
【図３】
2014224370.tif 000005
【図４】
2014224370.tif 000006
【図５】
2014224370.tif 000007
【図６】
2014224370.tif 000008
【図７】
2014224370.tif 000009
【図８】
2014224370.tif 000010
【図９】
2014224370.tif 000011